(57)【特許請求の範囲】
【請求項１】
親機に子機を収容し、複数の搬送波を用いて上記親機子機間で通信を行うＯＦＤＭ通信システムにおいて、
上記親機子機間の接続処理の失敗を検出する接続処理失敗検出手段、
上記親機の機能を上記子機の機能に変更する親機子機変更手段、及び上記子機の機能を上記親機の機能に変更する子機親機変更手段を備え、上記接続処理失敗検出手段により上記親機子機間の接続処理の失敗が検出されると上記親機子機変更手段が上記親機の機能を上記子機の機能に変更し上記子機親機変更手段が上記子機の機能を上記親機の機能に変更して当該機能変更された親機子機間で再接続処理が実行されるＯＦＤＭ通信システムであって、
上記親機子機間の接続処理の失敗が、上記子機から上記親機への通知の制御情報の搬送波の電力レベルに基づいて検出され、
上記接続処理失敗検出手段により上記親機子機間の接続処理の失敗が上記親機から上記子機への通知及び上記子機から上記親機への通信の何れで発生したのか検出されると、上記接続処理失敗検出手段により検出された上記親機子機間の接続処理の失敗が発生した上記通信を省いた片方向の通信により上記親機子機間で再接続処理が実行される
ことを特徴とするＯＦＤＭ通信システム。
【請求項２】
請求項１に記載のＯＦＤＭ通信システムにおいて、上記再接続処理が冗長度を上げた通信方式で実行されることを特徴とするＯＦＤＭ通信システム。
【請求項３】
請求項１または請求項２に記載のＯＦＤＭ通信システムにおいて、上記搬送波を変更して上記再接続処理が実行されることを特徴とするＯＦＤＭ通信システム。
【請求項４】
請求項１または請求項２に記載のＯＦＤＭ通信システムにおいて、上記親機子機間の接続処理の失敗の原因となる搬送波を除いた搬送波を使用して上記再接続処理が実行されることを特徴とするＯＦＤＭ通信システム。
【請求項５】
請求項１または請求項２に記載のＯＦＤＭ通信システムにおいて、上記再接続処理の次の接続処理が、上記搬送波を変更して実行されることを特徴とするＯＦＤＭ通信システム。
【請求項６】
請求項１または請求項２に記載のＯＦＤＭ通信システムにおいて、上記再接続処理の次の接続処理が、上記親機子機間の接続処理の失敗の原因となる搬送波を除いた搬送波を使用して実行されることを特徴とするＯＦＤＭ通信システム。 
【発明の詳細な説明】
【技術分野】
【０００１】
この発明は、有線、及び、無線において、多数の搬送波（サブキャリア）を用い、親機に子機を収容してユーザデータ通信を行うＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信システムに関する。
【背景技術】
【０００２】
従来の親機が子機を収容し通信するＯＦＤＭ通信装置では、親機は、一定周期で既知の信号を送信することにより、固定長のフレームを形成し、子機はこのフレームに従属同期する。親機、子機間の通信では、通信の設定情報や、通信帯域の割当ての情報をやりとりする制御情報通信と、ユーザデータのやりとりをするユーザデータ通信の両者がある。
【０００３】
ＯＦＤＭでは、多数のサブキャリアの各々にデータを載せて通信を行う。これらのサブキャリアの集まりを「ＯＦＤＭシンボル」と呼ぶ。個々のＯＦＤＭシンボルは、ガードインターバルと呼ばれる期間を介在させることにより、ＯＦＤＭシンボル間の干渉を回避する。１ＯＦＤＭシンボルで送信可能な情報量は、個々のサブキャリアに載せる情報量の総和となる。
【０００４】
一般に、ユーザデータ通信と制御情報通信では、異なる通信設定を用いることが多い。ユーザデータ通信および制御情報通信の各通信設定は、ひとつのサブキャリアにあてるビット数に相当する変調方式、及び、エラー訂正の方式などを意味する。エラー訂正には、ＲＳ（Ｒｅｅｄ−Ｓｏｌｏｍｏｎ）符号や畳込み符号などの誤り訂正符号が用いられる。これらの誤り訂正により、一部のサブキャリアでビットエラーが発生した場合にも、そのエラーの量が所定の範囲内であれば、エラーが訂正され正常な通信が可能となる。
【０００５】
ユーザデータ通信では、通信レートを可能な範囲で上げるために通信環境に応じて、変調方式を決める場合が多い。より高い通信レートを実現するために、変調方式の調整は、すべてのサブキャリアに同一の変調を用いるのではなく、サブキャリア毎に実施する、もしくは、複数のサブキャリアをひとかたまりとして扱う。以降、この調整を「マッピング調整」と記す。このマッピング調整は、一旦、接続時に実行され、その後、通信時に適宜環境変化を検出し、継続的に調整する。
【０００６】
一方、制御情報通信は、通信の設定情報などをやりとりする性質上、よりエラー耐性の高い通信方式を用い、多少の環境変化が発生しても、通信が維持できるような方式を用いる。具体的には、１つのサブキャリアで１ビットのみを扱う、ＢＰＳＫ（Ｂｉｎａｒｙ  Ｐｈａｓｅ  Ｓｈｉｆｔ  Ｋｅｙｉｎｇ）などの低い変調方式を用い、さらに、前述のＲＳ（Ｒｅｅｄ−Ｓｏｌｏｍｏｎ）符号や畳込み符号などの誤り訂正符号の設定をより冗長性の高い設定にし、エラー耐性を高くする。また、エラー耐性を高める別の方法として、周波数ダイバーシチ（ｄｉｖｅｒｓｉｔｙ）など、ひとつの情報を複数のサブキャリアを用いて通信する手段もとられる。
【０００７】
親機と子機の間でユーザデータ通信するための接続手順は、まず、子機は、親機の送信する信号に対して同期処理を行い、その後、親機に接続の要求を行う。親機から子機への識別番号の通知などの後、両機間で、ユーザデータ通信のためのマッピング調整を行う。これらの接続処理は、親機と子機の間で制御情報通信を用いて行う。
【０００８】
なお、本発明に関連する技術としては、干渉信号を検出した際にも、親機と子機の通信を維持するようにしたものが既に提案されている。（たとえば、特許文献１参照）。
【先行技術文献】
【特許文献】
【０００９】
【特許文献１】特開２００８−３０６４０９号公報（図１及びその説明）
【発明の概要】
【発明が解決しようとする課題】
【００１０】
従来のＯＦＤＭ通信装置では、長距離の通信などで信号の減衰が大きく、特に、大きく減衰した信号に対してノイズが混入された場合などにおいては、高いエラー耐性をそなえる制御情報通信であっても、通信が成立せず、接続処理が正常終了しないためユーザデータ通信ができないという問題があった。この接続処理失敗には、子機が親機に同期する処理が失敗する場合や、同期処理が成功した場合も、それに続く、マッピング調整を含む接続処理が正常終了しない場合があった。
【００１１】
この発明は上記のような課題を解決するためになされたものであり、通信環境が劣悪で、親機子機間の通常の接続処理が失敗する場合でも、正常に親機子機間の接続処理が行えるようにすることを目的とする。
【課題を解決するための手段】
【００１２】
この発明に係るＯＦＤＭ通信システムは、親機に子機を収容し、複数の搬送波を用いて上記親機子機間で通信を行うＯＦＤＭ通信システムにおいて、上記親機子機間の接続処理の失敗を検出する接続処理失敗検出手段、上記親機の機能を上記子機の機能に変更する親機子機変更手段、及び上記子機の機能を上記親機の機能に変更する子機親機変更手段を備え、上記接続処理失敗検出手段により上記親機子機間の接続処理の失敗が検出されると上記親機子機変更手段が上記親機の機能を上記子機の機能に変更し上記子機親機変更手段が上記子機の機能を上記親機の機能に変更して当該機能変更された親機子機間で再接続処理が実行されるＯＦＤＭ通信システムであって、上記親機子機間の接続処理の失敗が、上記子機から上記親機への通知の制御情報の搬送波の電力レベルに基づいて検出され、上記接続処理失敗検出手段により上記親機子機間の接続処理の失敗が上記親機から上記子機への通知及び上記子機から上記親機への通信の何れで発生したのか検出されると、上記接続処理失敗検出手段により検出された上記親機子機間の接続処理の失敗が発生した上記通信を省いた片方向の通信により上記親機子機間で再接続処理が実行されるものである。 
【発明の効果】
【００１３】
この発明は、親機に子機を収容し、複数の搬送波を用いて上記親機子機間で通信を行うＯＦＤＭ通信システムにおいて、上記親機子機間の接続処理の失敗を検出する接続処理失敗検出手段、上記親機の機能を上記子機の機能に変更する親機子機変更手段、及び上記子機の機能を上記親機の機能に変更する子機親機変更手段を備え、上記接続処理失敗検出手段により上記親機子機間の接続処理の失敗が検出されると上記親機子機変更手段が上記親機の機能を上記子機の機能に変更し上記子機親機変更手段が上記子機の機能を上記親機の機能に変更して当該機能変更された親機子機間で再接続処理が実行されるＯＦＤＭ通信システムであって、上記親機子機間の接続処理の失敗が、上記子機から上記親機への通知の制御情報の搬送波の電力レベルに基づいて検出され、上記接続処理失敗検出手段により上記親機子機間の接続処理の失敗が上記親機から上記子機への通知及び上記子機から上記親機への通信の何れで発生したのか検出されると、上記接続処理失敗検出手段により検出された上記親機子機間の接続処理の失敗が発生した上記通信を省いた片方向の通信により上記親機子機間で再接続処理が実行されるので、通信環境が劣悪で、親機子機間の通常の接続処理が失敗する場合でも、正常に親機子機間の接続処理が行える効果がある。
【図面の簡単な説明】
【００１４】
【図１】この発明の実施の形態１を示す図で、親機および子機の機能ブロック図の一例を示す図である。
【図２】この発明の実施の形態１を示す図で、通信信号のフレーム構成の一例を示す図である。
【図３】この発明の実施の形態１を示す図で、親機子機間の全体の接続処理の一例をフローチャートで示す図である。
【図４】この発明の実施の形態１を示す図で、通常接続処理の親機子機間のメッセージのやりとりのシーケンスの一例を示す図である。
【図５】この発明の実施の形態１を示す図で、親機側の接続要求受信処理の一例の詳細をフローチャートで示す図である。
【図６】この発明の実施の形態１を示す図で、子機側の処理の一例の詳細をフローチャートで示す図である。
【図７】この発明の実施の形態１を示す図で、片側通知設定接続処理の親機子機間のメッセージのやりとりのシーケンスの一例を示す図である。
【図８】この発明の実施の形態１を示す図で、親機子機入替え設定接続処理の親機子機間のメッセージのやりとりのシーケンスの一例を示す図である。
【図９】この発明の実施の形態１を示す図で、ＳＩＮＲ推定結果と、変調方式との関係の一例を説明する図である。
【図１０】この発明の実施の形態２を示す図で、親機子機間の全体の接続処理の他の例をフローチャートで示す図である。
【図１１】この発明の実施の形態２を示す図で、縮退メッセージの一例を説明する図である。
【図１２】この発明の実施の形態２を示す図で、周波数ダイバーシチの一例を説明する図である。
【図１３】この発明の実施の形態２を示す図で、冗長通知設定接続処理の親機子機間のメッセージのやりとりのシーケンスの一例を示す図である。
【図１４】この発明の実施の形態２を示す図で、制御チャネルのシンボル数の一例を示す図である。
【発明を実施するための形態】
【００１５】
実施の形態１．
以下この発明の実施の形態１を図１〜図９により説明する。
【００１６】
図１に例示してあるように、本実施の形態１の通信システムは、受信アンプ１、送信アンプ２、復調/復号処理部３、変調/符号化処理部４、ＳＩＮＲ推定処理部５、マッピング調整処理部６、装置制御部７、送受データ制御部８、ユーザデータ入出力部９、同期処理部１０、シーケンス制御部１１、タイムアウト監視制御部１２を有している。
図１において、受信した信号は受信アンプ１を経て、復調／復号処理部２により、復調、復号され、送受データ制御部８で、ユーザデータ、制御情報が抽出され、各々、ユーザデータ入出力部９、装置制御部７に渡される。一方、送受データ制御部８に、ユーザデータ入出力部９及び装置制御部７から、各々、ユーザデータ、制御情報が入力された場合、変調／符号化処理部４で符号化、変調され、送信アンプ２を経由して出力される。
【００１７】
装置制御部７において、親機子機間のメッセージ処理のやりとりは、シーケンス制御部１１により制御され、メッセージの不達等は、タイムアウト監視制御部１２により検出される。タイムアウト発生時は、再送などの処理が実行される。装置制御部７では、再送を実施してもメッセージのやりとりが成功しない場合などに接続処理の失敗と判定し、接続処理の失敗を検出する。尚、後述の図３に示す接続処理フローは、この装置制御部７により制御（実行）される。
【００１８】
装置起動時に、親機は、接続処理として、まず、子機が同期をかけるために必要な制御チャネルの送信を開始する。一方、子機は、まず、受信信号をもとに同期処理部１０で、親機に対して同期処理を行う。その後、子機からの接続要求を契機として、マッピング調整を含む接続処理が装置制御部７で制御（実行）される。後述する接続処理が一旦失敗した場合に接続を成立させるために実行する一連の処理も装置制御７で制御される。
【００１９】
ＳＩＮＲ推定処理部５では、受信信号を用いて、そのＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）を推定する。推定されたＳＩＮＲの情報をもとに、マッピング調整処理部６でＳＩＮＲに適応したマッピングを算出し、そのマッピングを受信信号を扱う復調/復号処理部３に設定する。親機子機間で自
装置の設定変更と同時に、この設定を、相手装置に通知することにより、相手装置側では逆に送信信号を扱う変調／符号化処理部４に設定する。
【００２０】
図２にフレームフォーマットに一例を示してある。
ＯＦＤＭ通信では、固定長のフレームが繰り返され、例えば、ＯＦＤＭシンボル数が約２００シンボル、時間としては約１０ｍｓｅｃのフレームが用いられる。このフレームは、Ｂ１、Ｂ２、Ｂ３、ＤＡＴＡ（ＤＬ）、ＤＡＴＡ（ＵＬ）、Ｃのチャネルを持つ。
Ｂ１、Ｂ２、Ｂ３、及び、ＤＡＴＡ（ＤＬ）は、親機が送信し子機が受信するチャネルであり、ＤＡＴＡ（ＵＬ）、Ｃチャネルは、子機が送信し親機が受信するチャネルである。
Ｂ１、Ｂ２、Ｂ３チャネルでは、同期情報、フレーム内の帯域割当てを表すスケジュール情報、また、Ｃチャネルに対する応答情報などの制御情報が送信される。
Ｃチャネルは、子機が親機に対して通知を送信する必要が発生した場合に用いるチャネルであり、特定の子機が親機から通信機会、すなわち、通信帯域を与えられ送信するわけではなく、任意のタイミングで子機が送信する。このため、Ｃチャネルは複数の子機が同時に送信することや、どの子機からも送信がないことを想定したチャネルである。その送信データを親機が受信できたか否かが前記の応答情報に含まれる。
ユーザデータは、親機から子機の方向、子機から親機の方向のデータが各々、ＤＡＴＡ（ＤＬ）、ＤＡＴＡ（ＵＬ）チャネルで送信される。
尚、Ｂ１、Ｂ２、Ｂ３、Ｃチャネルは制御情報専用のチャネルであり、ＤＡＴＡ（ＤＬ）、ＤＡＴＡ（ＵＬ）チャネルは主にユーザデータの通信に用いるが、制御情報の通信に用いる場合もある。
制御情報通信は、上記の通り、同期情報やスケジュール情報を含むものであり、この通信が成立している状態で、はじめて、ユーザデータの通信が実行可能となる。
【００２１】
次に、通信の設定に関して説明する。
ここでの設定とは、変調方式や誤り訂正方式や更に周波数ダイバーシチなどの設定を意味する。
ユーザデータの通信には、上記のＳＩＮＲ推定処理にもとづくマッピング調整により、より通信効率の高い設定を用いる。本実施の形態１では、このマッピング調整は個々のサブキャリアに対して行う。サブキャリア毎に選択した変調方式で決まるビット数の総量により、１つのシンボルで送信可能なデータ量が決まる。この値が大きいほど高効率なユーザデータ通信が可能であるが、使用環境のＳＩＮＲに適合したレベルでない場合、通信エラーが発生することになる。このため、このようなＳＩＮＲ推定処理結果を用いたマッピング調整が必要となる。この調整は、図１に示したマッピング調整処理部６で処理される。
【００２２】
一方、制御情報の通信は、エラー耐性の高い設定を用いる。通常、制御情報の通信は、ＢＰＳＫ（Ｂｉｎａｒｙ  Ｐｈａｓｅ  Ｓｈｉｆｔ  Ｋｅｙｉｎｇ）などの低い変調方式を用いることによりエラー耐性を高くする。個々のサブキャリア単位でみた場合には、この変調方式でもエラーとなることがあるが、前述の誤り訂正や周波数ダイバシチの効果でエラー発生を回避、もしくは、エラーを訂正し、制御情報の通知に失敗する通信エラーとなることを防ぐ。
【００２３】
一般に、通信環境において、ノイズのレベルなどは逐次変化する。ユーザデータ通信の設定は、この通信環境の変化に追従して適宜変更される。一方、制御情報通信の設定は、その通信が不調になった場合、設定変更自体ができなくなることもあり、通常、エラー耐性が高い設定で固定して使う。ただし、本実施の形態１においては、後述のとおり、常に設定が固定となるわけではなく、通信環境によっては、制御情報通信の設定も変更する場合がある。
【００２４】
図９を用いて、ＳＩＮＲ推定結果と、変調方式の設定との関係を説明する。
図９において、（ｂ）は（ａ）に比して、通信環境が悪い状態を示しており、（ｂ）は従来の装置の場合、通信が成立しない環境である。ここでは、（ａ）（ｂ）各々の環境を、通常の通信環境、劣悪な通信環境と記す。
図９では、ＳＩＮＲ推定結果、制御情報の変調方式、変更後の制御情報の変調方式、ユーザデータの変調方式を示している。
ＳＩＮＲ推定結果の図では、横軸は周波数、縦軸はＳＩＮＲ値として、個々のサブキャリアの周波数とＳＩＮＲ値の関係を図示している。また、一点鎖線にて、限界ＳＩＮＲのレベルを示し、ハッチングにて限界ＳＩＮＲ値にＳＩＮＲ値が満たない周波数領域を示す。ここでの限界ＳＩＮＲとは、これよりＳＩＮＲ値が小さい場合、最低の変調方式であるＢＰＳＫを適応してもエラーとなると考えられるＳＩＮＲ値である。
変調方式の図では、個々の線が一つのサブキャリアを意味し、実線の長い縦線は、ＢＰＳＫより高い変調、短い縦線はＢＰＳＫ、破線はマッピングをしないサブキャリアを表している。
【００２５】
図９（ａ）の通常の通信環境において、ＳＩＮＲ推定結果は、およそ、周波数が低いほどサブキャリアのＳＩＮＲ値が高く、周波数が高いごく一部のサブキャリアでは限界ＳＩＮＲ値以下のＳＩＮＲ値となっている。このＳＩＮＲ推定結果に対するユーザデータのマッピング調整結果は、ユーザデータの変調方式（変調１）として示す通り、低域において高い多値数となり、高域ではＢＰＳＫ、更に、限界ＳＩＮＲに満たない領域では、マッピングをしないという内容になっている。
一方、制御情報の変調方式（変調２）は、前述のとおり、ＳＩＮＲ推定結果にもとづかず、固定のマッピングとしており、この場合、すべてのサブキャリアをＢＰＳＫとしている。この場合、限界ＳＩＮＲに満たないサブキャリアにおいては、エラーが発生することが想定されるが、該当するサブキャリア数の全サブキャリアに対する割合が小さいことなどより、誤り訂正で、発生したエラーが訂正され正常な通信が可能となる。
【００２６】
次に、図９（ｂ）の劣悪な通信環境でのマッピング調整に関して説明する。
図９（ｂ）図においては、限界ＳＩＮＲに満たないサブキャリアが多くあることがわかる。この環境で、制御情報の変調方式（変調３）に示す、全サブキャリアをＢＰＳＫとした変調の場合では、エラーを発生するサブキャリアが多いため、誤り訂正でエラーを訂正しきることができない。すなわち、初期状態では、制御情報の通信が正常に行えない状態である。このように、エラー耐性の高い設定にした場合でも通信ができない環境があり得る。尚、この制御情報通信が成立しない状態では、前述の通り、ユーザデータ通信は成立しない。具体的には、制御情報通信が成立しない状態では、親機子機間の通知のやりとりが成立しないため、ユーザデータ通信に至るためのマッピング調整などを含む接続処理が正常に終了しない。
【００２７】
これに対して、変更後の制御情報の変調方式（変調４）では、限界ＳＩＮＲ値よりＳＩＮＲ値が小さいサブキャリアは使用しない設定としているため、制御情報の通信は正常に可能となる。このように常時エラーとなる可能性が高いサブキャリアは、通信に寄与することはなく、通信に使うサブキャリアに含めないほうが、エラー耐性が高くなる。制御情報通信に関して、上記のような設定変更を行うことにより、まず、制御情報通信自体を成立させ、それにより、通常の接続処理が可能となる。尚、ユーザデータの変調方式（変調５）に関しては、ＳＩＮＲ値に従い、「ＢＰＳＫより高い変調」、「ＢＰＳＫ」、「使用しない」、の３段階を使い分けることになる。
【００２８】
ここで、通信環境と接続可否の関係を説明する。親機、子機の通信において、親機、子機各々で受信する信号のＳＩＮＲの特性が、ともに、図９（ｂ）に示す特性の場合、いずれの方向でも制御情報通信が成立しないため、従来の装置では接続処理が成功しない。  一般に、親機、子機の通信において、親機、子機各々で受信する信号のＳＩＮＲの特性は共通の経路を用いる場合、相関がある。そのため、上記のとおり、双方向の特性が、ともに図９（ｂ）のような劣悪な通信環境状態である場合は少なくない。
しかしながら、親機、子機間が比較的離れた場所にある場合などにおいては、信号を妨げる主要なノイズ発生源の位置により、大きく特性が異なる場合もよくある。これにより、例えば、親機での受信信号のＳＩＮＲ推定結果が図９（ａ）のように通常の通信環境レベルであるにも関わらず、子機での受信信号のＳＩＮＲ推定結果が図９（ｂ）に相当する劣悪な通信環境レベルにある場合がある。この場合、子機では制御情報すら正常に受信できないため、子機が同期処理に失敗する。また、この逆に親機での受信信号のＳＩＮＲ推定結果が図９（ｂ）に相当し、子機側が図９（ａ）に相当する場合は、子機は同期処理は正常に終了するが、その後、親機側は制御情報を受信できないため、接続処理に失敗することになる。
【００２９】
親機子機間の全体の接続処理フローの一例を図３に示してある。
図３において、４１は接続全体処理開始、４２は親機子機入替え設定、及び、片方向処理設定の初期設定、であり、親機子機入替え設定、及び、片方向処理設定を無効に設定する。詳細は後述するが、親機子機入替え設定を有効にした場合、本来の親機を子機として動作させ、逆に子機を親機として動作させることになる。また、片方向処理設定を有効にした場合、本来、親機子機間の通知の往復によりすすめる手順を、主に片方向の通知のみですすめるように変更して動作させることになる。４４は親機子機入替え設定が有効かを判定する判定処理、４３は片方向処理設定が有効かを判定する判定処理である。
【００３０】
接続処理は、４５、４６、４７の３つの異なる処理がある。
接続処理４７は、親機子機入替え設定接続処理である。この接続処理は、通常の接続処理とは異なり、制御情報通信の設定変更内容を算出し、その変更を実施することにより、制御情報通信を成立させることを目的とする。親機子機入替え設定接続処理では、親機子機を入替えた状態で所定の処理を実施し、その処理で得たＳＩＮＲ推定結果などを用いて制御情報通信の設定変更をする。設定変更内容は、前述のとおり、エラー発生の原因となるサブキャリアを使用するサブキャリアから除外するように設定するものであり、この設定変更により、制御情報通信がエラーなく実施可能となる。図９（ｂ）において示した環境の場合、制御情報の変調方式として図示した変調方式（変調３）を、変更後の制御情報の変調方式として図示した使用しないサブキャリアを含む変調方式（変調４）へ設定変更することになる。
なお、前記「設定変更内容を算出」とは、ＳＩＮＲ推定処理を実施し、ＳＩＮＲ値を取得し、そのＳＩＮＲ値の大小によりサブキャリア使用の当否を決める（例えばＳＩＮＲ値が小さいサブキャリアは使用しないように変更する）ことを意味する。
【００３１】
接続処理４６は、片方向処理設定接続処理である。この接続処理は、通常の接続処理とは異なり、制御情報通信の設定変更内容を算出し、その変更を実施することにより、制御情報通信を成立させることを目的とする。片方向処理設定接続処理では、主に片方向のみの通信により処理を実施し、その処理で得たＳＩＮＲ推定結果などを用いて制御情報通信の設定変更をする。設定変更内容は、親機子機入替え設定接続処理４７と同様である。
接続処理４５は、通常接続処理である。
【００３２】
４９は接続処理がタイムアウトなどによる異常終了にならずに、正常終了したかを判定する判定処理である。５２は、親機子機入替え設定、もしくは、片方向処理設定が有効かを判定する判定処理であり、判定後の遷移先は、処理５５もしくは処理５７である。５０は、処理５２と同様の親機子機入替え設定、もしくは、片方向処理設定が有効かを判定する判定処理であり、判定後の遷移先は、各々処理５１、処理５３となる。５３は接続処理が子機同期異常終了かを判定する判定処理であり、接続処理子機同期異常終了とは、接続処理の最初の処理である子機の親機に対する初期同期処理が失敗することにより接続処理を異常終了することを意味する。
【００３３】
５６は、片方向処理設定を有効にする処理であり、この設定を有効にすることにより、再度実施する接続処理においては、通知の往復を主体としない片方向通知により接続手順を進めるため、接続処理に成功する可能性が高まる。ここでの片方向とは、親機から子機方向側への片方向を意味する。片方向処理設定が有効となる場合は、子機同期処理が成功している場合であり、上記の親機から子機方向の通信は成功する可能性が高い。
例えば、親機から子機方向の通信の品位が、図９の（ａ）のように通常の通信環境レベルであり、子機から親機の通信の品位が、図９の（ｂ）のように劣悪な通信環境レベルである場合、子機から親機への通信は成功しないが、親機から子機への通信は成功すると考えられる。すなわち、双方向通信のシーケンスでは通信の不達によりタイムアウトが発生すると考えられる。しかしながら、親機から子機への片方向通信であれば、問題なく処理できる。
【００３４】
５４は、親機子機入替え設定を有効にする処理であり、この設定を有効にすることにより、再度実施する接続処理においては、親機と子機を入替える。この入替えにより、今回失敗した初期同期処理が成功する可能性が十分にある。
例えば、元の親機から子機方向の通信の品位が、図９の（ｂ）のように劣悪な通信環境であり、子機から親機の通信の品位が、図９の（ａ）のように通常の通信環境レベルである場合、元の状態では、子機の初期同期処理は失敗すると考えられる。これに対し、親機と子機を入替えた場合には、初期同期処理は、成功すると考えられる。ただし、親機子機を入替えた状態では、逆に、子機から親機への通信は失敗する可能性が高いため、親機子機入替え設定接続処理は、片方向処理設定接続処理と同様に、片方向通信で接続処理を実施する。詳細手順は後述する。
【００３５】
５５は、親機子機入替え設定、及び、片方向処理設定を無効にする処理であり、この処理により、再度実施する接続処理においては、通常接続処理が選択されることになる。
４８は、繰り返し数が制限値内かを判定する判定処理であり、接続失敗と設定変更が繰り返されることを回避するための判定である。５７は接続全体処理正常終了状態、５１は、接続全体処理異常終了状態である。
【００３６】
次いで、図３の処理の流れを説明する。
まず接続処理が一度も失敗しない場合の処理の流れを示す。
初期設定４２を実行し、これにより判定処理４４、４３を経由して通常接続処理４５が実行される。この通常接続処理４５が正常終了した場合、接続処理正常終了判定４９を経て、判定処理５２にて、接続全体処理正常終了状態５７に遷移する。通常の通信環境ではこの手順で、接続処理が失敗することなく正常終了まで処理される。
【００３７】
次に、接続処理が初期同期に一度失敗し、その後、親機子機入替え設定接続処理の成功を経て、再度の通常接続処理が成功する場合の処理の流れを示す。
通常接続処理４５が異常終了した場合、接続処理正常終了判定４９を経て、更に、判定処理５０を経て、子機同期異常終了判定５３に遷移する。この判定処理５３において、子機同期異常終了であるため、設定処理５４により親機子機入替え設定が有効に設定される。その後、判定処理４８を経由して、再び、判定処理４４に遷移する。親機子機入替え設定が有効となっているため、判定処理４４から、親機子機入替え設定接続処理４７に遷移する。
次に接続処理正常終了判定４９にて、正常終了の場合、設定判定処理５２に遷移し、親機子機入替え設定が有効であるため、設定処理５５にて、親機子機入替え設定を無効にし、再度、判定処理４４に進む。この場合、判定処理４３を経由し、通常接続処理４５に遷移する。通常接続処理４５を実行の後、判定処理４９、及び、５２を経由して、接続全体処理正常終了状態５７に遷移する。
【００３８】
次に、接続処理が初期同期以外で失敗し、その後、片方向処理設定接続処理の成功を経て、再度の通常接続処理が成功する場合の処理の流れを示す。
通常接続処理４５が異常終了した場合、接続処理正常終了判定４９を経て、判定処理５０を経て、子機同期異常終了判定５３に遷移する。この判定処理５３において、子機同期異常終了でないため、設定処理５６により片側方向処理設定が有効に設定される。その後、判定処理４８を経由して、再び、判定処理４４に遷移する。片方向処理設定が有効となっているため、判定処理４４及び４３を経由し、片方向処理設定接続処理４６が実行される。
次に接続処理正常終了判定４９にて、正常終了の場合、設定判定５２に遷移し、片方向処理設定が有効であるため、設定処理５５にて、片方向処理設定を無効にし、再度、判定処理４４に進む。この場合、判定処理４３を経由し、通常接続処理４５に遷移する。通常接続処理４５を実行の後、判定処理４９、及び、５２を経由して、接続全体処理正常終了状態５７に遷移する。
【００３９】
尚、判定処理５０にて、親機子機入替え設定もしくは片方向設定が有効である場合は、接続全体処理異常終了状態５１に遷移する。親機子機入替え設定接続処理、もしくは、片方向処理設定接続処理が異常終了した場合には、この遷移をたどる。
【００４０】
図４に通常接続処理の親機子機間のメッセージのやりとりのシーケンスを示す。
図４において、６０は制御チャネル送信開始処理、６１は接続要求受信処理、６２は同期処理、６３及び６４はＳＩＮＲ推定用チャネル送信開始、６６はＲｘ側ＳＩＮＲ推定処理、６５はＴｘ側ＳＩＮＲ推定処理、７３及び７４は、ユーザデータ用マッピング決定処理、６７及び６８はＳＩＮＲ推定用チャネル送信終了、６９及び７０は、ユーザデータ用マッピング設定変更である。
【００４１】
親機は、処理６０にて制御チャネルの送信を開始し、子機は同期処理６２でその制御チャネルを検出し初期同期処理を行う。尚、子機はこの初期同期ののちにも、親機との同期を維持するための処理を別途継続する。
次に、子機は、親機に収容されるために親機に接続要求を送信する。
接続要求受信処理６１にて当該接続要求の通知を受信した親機は子機に接続応答を送信する。接続要求受信のための親機の処理詳細は、後述する。親機はこの接続応答通知により、子機に対して子機識別用の識別番号を通知する。親機に複数台の子機が収容される場合、この識別番号により子機は区別される。
子機は親機からの通知内容において、自装置宛の情報か否かをこの識別番号を用いて識別する。一例として、ユーザデータ通信用の帯域割当ては、この識別番号を用いる。
次に、親機はマッピング調整開始要求を送信し、子機はマッピング調整開始応答を送信したのち、親機、子機、各々、処理６４、６３にて、ＳＩＮＲ推定用チャネルの送信を開始する。ここでのＳＩＮＲ推定用チャネルとはＳＩＮＲ推定をするため専用チャネルである。本実施の形態では専用のチャネルとしているが、通常のチャネルを用いることも可能である。
親機、子機は各々、処理６６、処理６５にて、Ｒｘ側のＳＩＮＲ推定処理とＴｘ側のＳＩＮＲ推定処理を実施する。特に図示しないが、ここでのＳＩＮＲ推定処理は、推定結果の信頼度をあげるために推定処理を複数回実施する場合がある。
ここでのＲｘ側、Ｔｘ側とは、各々、親機装置からみた場合の受信方向、送信方向を意味する。
【００４２】
推定したＳＩＮＲ推定結果を元に、処理７４、７３にて、ユーザデータ用のマッピングを決定し、相手装置にマッピング結果通知を送信する。この通知を受けた装置は、マッピング結果受領通知を送信する。
尚、マッピング結果通知は比較的大きなサイズになる場合があるため、適宜、分割して通知する場合がある。本実施の形態では、ＳＩＮＲ推定を実施した側でマッピングを決定し、その結果を相手側に通知しているが、例えば、マッピングを通知するのではなく、ＳＩＮＲ推定結果自体を通知し、その通知を受信した側でマッピングを決める方式も可能である。親機は、Ｒｘ側Ｔｘ側のマッピング結果の送受が完了した後、マッピング調整終了要求を送信し、子機はマッピング調整終了応答を送信する。
次に、親機、子機は、各々、処理６８、６７にて、ＳＩＮＲ推定用チャネルの送信を停止し、処理７０、６９にて、ユーザデータ用のマッピング設定変更を行い、接続処理終了７１に遷移する。
【００４３】
このマッピングの変更は、送受両側で同じ内容で変更する必要がある。すなわり、Ｒｘ側マッピングの親機子機両側での設定変更と、Ｔｘ側マッピングの親機子機両側での設定変更が必要となる。尚、本実施の形態では、Ｒｘ側マッピング通知を先に処理しているが、別の順序でも問題ない。
尚、これらのメッセージのやりとりのシーケンスにおいて、通信がエラーになる等の理由により、所定のメッセージが取得できない場合、図１のタイムアウト監視制御１２により、タイムアウトを検出し、更に、再送などの処理を経ても該当メッセージが取得できない場合に、接続処理が、一旦、異常終了する。
【００４４】
親機側の接続処理の前半部分を説明する。図５を用いて、親機側の接続要求受信処理の詳細を説明する。
８１は接続要求受信処理開始、８２はＣチャネル受信処理、８３はＣチャネル電力値（ＰＷ＿Ｃ）取得処理、８４は接続要求受信判定、８５は接続要求タイムアウト判定処理、８６はＣチャネル電力値判定処理である。本実施の形態では、電力値はタイムアウトまで複数回取得した場合、その最大値を判定に適用する。
【００４５】
次いで、図５を用いて、動作を説明する。
８２でＣチャネル受信処理を実行し、８３ではＣチャネル電力値（ＰＷ＿Ｃ）を取得する。Ｃチャネルは親機からの割当てに基づかず、非同期に子機より送信されるため、子機からの送信の有無にかかわらず、親機は毎フレームＣチャネル受信処理を実行し、８３ではＣチャネル電力値（ＰＷ＿Ｃ）を取得する。Ｃチャネルが子機からのメッセージを正常受信したか否かは、８４にてメッセージに付加されたＣＲＣ（Ｃｙｃｌｉｃ  Ｒｅｄｕｎｄａｎｃｙ  Ｃｈｅｃｋ）を用いて判定する。
ＣＲＣが正常と判定された場合、接続処理が継続される。
ＣＲＣが異常と判定された場合、８５にてタイムアウトの発生を確認し、タイムアウトが未発生の場合、再度Ｃチャネル受信処理を実施する。
タイムアウトが発生した場合、接続要求の受信は失敗したと判断し、８６にてＣチャネル電力値（ＰＷ＿Ｃ）を確認する。ここで電力値（ＰＷ＿Ｃ）が、Ｃチャネル電力判定値より小さい場合、子機がＣチャネルの送信を実施していないと判断する。子機がＣチャネルを送信しないという事象は、子機が同期に失敗した場合に発生する事象であり、これにより、親機側で子機が同期に失敗したという子機の状態を検出し、接続処理子機同期異常終了状態８９となる。
一方、電力値（ＰＷ＿Ｃ）が判定値より大きい場合は、子機はＣチャネルを送信していることが確認できる。この事象は、子機は同期処理に成功しＣチャネルを送信しているが、ＣＲＣの判定が正常とならない場合に発生し、特に、子機から親機への通知の信号の品位が悪い場合に、この事象が発生する。この場合、接続処理異常終了状態８８となる。
【００４６】
次に図６を用いて、子機側の処理を説明する。
１０２は同期処理であり、１０３は同期処理が正常終了したかの判定処理、１０５は同期処理のタイムアウト発生の判定処理、である。
同期処理成功の判定においては、子機は、所望の親機に対して正しく同期処理が行えたことを確認するために、親機から通知される情報が所定の内容であることを確認する。例えば、親機からの毎フレーム連続的に変化する値を通知し、受信する子機側でその値が不連続になることなく正常に取得できることを確認するなどの方法がある。
【００４７】
次いで、図６の処理の流れを説明する。
子機は同期処理を実施し、同期処理に成功した場合、接続処理継続となる。１０３にて同期処理が失敗の場合、１０５にてタイムアウト発生を確認し、タイムアウトの場合、子機同期処理の失敗が確定し、接続処理子機同期異常終了状態１０６となる。タイムアウトが未発生の場合には、同期処理１０２が繰り返される。
【００４８】
図７に片方向設定接続処理の親機子機間のメッセージのやりとりのシーケンスを示す。
図７において、１２０は制御チャネル送信開始処理、１２２は同期処理、１２３はＳＩＮＲ推定用チャネル送信開始、１２６はＲｘ側ＳＩＮＲ推定処理、１３４は制御情報用マッピング決定処理、１２７はＳＩＮＲ推定用チャネル送信終了、１２９及び１３０は制御情報用マッピング設定変更である。
【００４９】
親機は、処理１２０にて制御チャネルの送信を開始し、子機は同期処理１２２でその制御チャネルを検出し同期処理を行う。尚、子機はこの初期同期ののちにも、親機との同期を維持するための処理を別途継続する。
次に、親機は子機からの接続要求を待つことなく、子機に接続応答を送信する。
次に、親機はマッピング調整開始要求を送信する。
その後、子機では、処理１２３にて、ＳＩＮＲ推定用チャネルの送信を開始する。
次に親機は、処理１２６にて、Ｒｘ側のＳＩＮＲ推定処理を実施する。特に図示しないが、ここでのＳＩＮＲ推定処理は、推定結果の信頼度をあげるために推定処理を複数回実施する場合がある。ここでのＲｘ側とは親機装置からみた場合の受信方向を意味する。推定したＳＩＮＲ推定結果を元に、処理１３４にて、制御情報用のマッピングを決定し、相手装置にマッピング結果通知を送信する。尚、マッピング結果通知は比較的大きなサイズになる場合があるため、適宜、分割して通知する。
【００５０】
本実施の形態では、ＳＩＮＲ推定を実施した側でマッピングを決定し、その結果を相手側に通知しているが、例えば、マッピングを通知するのではなく、ＳＩＮＲ推定結果自体を通知し、その通知を受信した側でマッピングを決める方式も可能である。
親機は、Ｒｘ側のマッピング結果の送信が完了した後、マッピング調整終了要求を送信する。
次に、子機側で処理１２７にてＳＩＮＲ推定用チャネルの送信を停止し、処理１３０、１２９にて、制御情報用のマッピング設定変更を行い、接続処理終了１３１に遷移する。このマッピングの変更は、送受両側で同じ内容で変更する必要がある。すなわり、Ｒｘ側マッピングの親機子機両側での設定変更が必要となる。この一連の処理において、子機から親機への通信は、ＳＩＮＲ推定用チャネルのみである。ＳＩＮＲ推定用チャネルは、受信側でＳＩＮＲの推定処理が実行できれば良いだけであり、制御情報やユーザデータの受信のようにＣＲＣによるチェックで正しいデータのみ用いる仕組みではないため、劣悪な環境でも処理が可能となる。
尚、これらのメッセージのやりとりのシーケンスにおいて、子機からのＳＩＮＲ推定用チャネルが受信できないなどのエラーが発生した場合は、接続処理が、異常終了する。
【００５１】
図８に親機子機入替え設定接続処理の親機子機間のメッセージのやりとりのシーケンスを示す。図８に示すとおり、親機と子機を入替えている以外は、図７と同様である。
【００５２】
実施の形態２．
この発明の実施の形態１を図１０〜図１４により説明する。
【００５３】
親機子機間の接続処理の処理フローを例示する図１０において、１８１は接続全体処理開始、１８２は冗長通知設定の初期設定であり、冗長通知設定を無効に設定する。詳細は後述するが、冗長通知設定を有効にした場合、通常時に比して、周波数ダイバーシチなどをより冗長な設定とすることにより、ＯＦＤＭ１シンボルで送信可能な情報量は小さくなるが、エラー耐性の高い通信となる。１８３は冗長通知設定が有効かを判定する判定処理である。
【００５４】
親機子機間の接続処理は、１８５、１８６の２つの異なる処理があり、１８６は冗長通知設定接続処理である。この接続処理は、通常の接続処理とは異なり、制御情報通信の設定変更内容を算出し、その変更を実施することにより、制御情報通信を成立させることを目的とする。
冗長通知設定接続処理１８６では、通常時より冗長でエラー耐性の高い通信方式で処理を実施し、その処理で得たＳＩＮＲ推定結果などを用いて制御情報通信の設定変更をする。
制御情報通信の設定変更内容は、前述のとおり、エラー発生の原因となるサブキャリアを使用するサブキャリアから除外するように設定するものであり、この設定変更により、制御情報通信がエラーなく実施可能となる。図９（ｂ）において示した環境の場合、制御情報の変調方式として図示した変調方式（変調３）を、変更後の制御情報の変調方式として図示した使用しないサブキャリアを含む変調方式（変調４）へ設定変更することになる。
１８５は通常接続処理である。
【００５５】
１８９は接続処理がタイムアウトなどによる異常終了にならずに、正常終了したかを判定する判定処理、１９２は冗長通知設定が有効かを判定する判定処理であり、判定後の遷移先は、処理１９５もしくは処理１９７である。
１９０は、処理１９２と同様の冗長通知設定が有効かを判定する判定処理であり、判定後の遷移先は、各々処理１９１、処理１９４となる。
【００５６】
１９４は、冗長通知設定を有効にする処理であり、この設定を有効にすることにより、再度実施する接続処理においては、通常よりエラー耐性の高い冗長な通信方式を用いるため、接続処理に成功する可能性が高まる。例えば、通信の品位が、図９の（ｂ）のように劣悪な通信環境レベルである場合、元の状態では接続処理に失敗するが、詳細は後述するが、エラー耐性を高くすることにより、通信可能となり、接続処理が成功する。
この冗長通知設定を有効にした場合の接続処理では、親機から子機、子機から親機の双方の通信環境が、図９（ｂ）に示す劣悪な通信環境であっても、制御情報通信が正しく行える。
１９５は、冗長通知設定を無効にする処理であり、この処理により、再度実施する接続処理においては、通常接続処理が選択されることになる。１８８は繰り返し数が制限値内かを判定する判定処理、１９７は接続全体処理正常終了状態、１９１は接続全体処理異常終了状態である。
【００５７】
次いで、処理の流れを説明する。
まず接続処理が一度も失敗しない場合の処理の流れを示す。
初期設定１８２を実行し、これにより判定処理１８３を経由して通常接続処理１８５が実行される。この通常接続処理１８５が正常終了した場合、接続処理正常終了判定１８９を経て、判定処理１９２にて、接続全体処理正常終了状態１９７に遷移する。通常の通信環境ではこの手順で、接続処理が失敗することなく正常終了まで処理される。
【００５８】
次に、接続処理が失敗し、その後、冗長通知設定接続処理の成功を経て、再度の通常接続処理が成功する場合の処理の流れを示す。
通常接続処理１８５が異常終了した場合、接続処理正常終了判定１８９を経て、判定処理１９０に遷移する。この判定処理１９０において、冗長通知設定が有効でないため、設定処理１９４により冗長通知設定が有効に設定される。その後、判定処理１８８を経由して、再び、判定処理１８３に遷移する。冗長通知設定が有効となっているため、冗長通知設定接続処理１８６が実行される。
次に接続処理正常終了判定１８９にて、正常終了の場合、設定判定１９２に遷移し、冗長通知設定が有効であるため、設定処理１９５にて、冗長通知設定を無効にし、再度、判定処理１８３を経由し、通常接続処理１８５に遷移する。
通常接続処理１８５を実行の後、判定処理１４９、及び、１９２を経由して、接続全体処理正常終了状態１９７に遷移する。尚、判定処理１９０にて、冗長通知設定が有効である場合は、接続全体処理異常終了状態１９１に遷移する。冗長通知設定接続処理が異常終了した場合には、この遷移をたどる。
【００５９】
図１３に冗長通知設定接続処理の親機子機間のメッセージのやりとりのシーケンスを示す。図４と同様の部分は、説明を省略する。
図１３において、２５３、及び、２５４は、制御情報用マッピング決定処理、６７、及び、６８は、ＳＩＮＲ推定用チャネル送信終了、２４９、及び、２５０は、制御情報用マッピング設定変更である。親機は、処理６０にて制御チャネルの送信を開始し、子機は同期処理６２でその制御チャネルを検出し初期同期処理を行う。尚、子機はこの初期同期ののちにも、親機との同期を維持するための処理を別途継続する。
【００６０】
次に、子機は親機に収容されるために接続要求を送信する。接続要求受信処理６１にて当該通知を受信した親機は子機に接続応答を送信する。親機はこの接続応答通知により、子機に対して子機識別用のＩＤを通知する。親機に複数台の子機が収容される場合、このＩＤにより子機は区別される。子機は親機からの通知内容において、自装置宛の情報か否かをこの識別ＩＤを用いて識別する。一例として、ユーザデータ通信用の帯域割当ては、この識別ＩＤを用いる。
次に、親機はマッピング調整開始要求を送信し、子機はマッピング調整開始応答を送信したのち、親機、子機、各々、処理６４、６３にて、ＳＩＮＲ推定用チャネルの送信を開始する。ここでのＳＩＮＲ推定用チャネルとはＳＩＮＲ推定をするため専用チャネルである。本実施の形態では専用のチャネルとしているが、通常のチャネルを用いることも可能である。
親機、子機は各々、処理６６、処理６５にて、Ｒｘ側のＳＩＮＲ推定処理とＴｘ側のＳＩＮＲ推定処理を実施する。特に図示しないが、ここでのＳＩＮＲ推定処理は、推定結果の信頼度をあげるために推定処理を複数回実施する場合がある。ここでのＲｘ側、Ｔｘ側とは、各々、親機装置からみた場合の受信方向、送信方向を意味する。
【００６１】
推定したＳＩＮＲ推定結果を元に、処理２５４、２５３にて、制御情報用のマッピングを決定し、相手装置にマッピング結果通知を送信する。この通知を受けた装置は、マッピング結果受領通知を送信する。尚、マッピング結果通知は比較的大きなサイズになる場合があるため、適宜、分割して通知する場合がある。
本実施の形態では、ＳＩＮＲ推定を実施した側でマッピングを決定し、その結果を相手側に通知しているが、例えば、マッピングを通知するのではなく、ＳＩＮＲ推定結果自体を通知し、その通知を受信した側でマッピングを決める方式も可能である。親機は、Ｒｘ側Ｔｘ側のマッピング結果の送受が完了した後、マッピング調整終了要求を送信し、子機はマッピング調整終了応答を送信する。
次に、親機、子機、各々、処理６８、６７にて、ＳＩＮＲ推定用チャネルの送信を停止し、処理２５０、２４９にて制御情報用のマッピング設定変更を行い、接続処理終了７１に遷移する。
【００６２】
このマッピングの変更は、送受両側で同じ内容で変更する必要がある。すなわり、Ｒｘ側マッピングの親機子機両側での設定変更と、Ｔｘ側マッピングの親機子機両側での設定変更が必要となる。尚、本実施例では、Ｒｘ側マッピング通知を先に処理しているが、この順序は特に規定されるべきものではない。
【００６３】
尚、これらのメッセージシーケンスにおいて、通信がエラーになる等の理由により、所定のメッセージが取得できない場合、図１のタイムアウト監視制御１２により、タイムアウトを検出し、更に、再送などの処理を経ても該当メッセージが取得できない場合に、接続処理が、異常終了する。
【００６４】
図１２に、冗長通知設定時の通信設定を示す。
図１２において、個々の線が一つのサブキャリアを意味し、矩形の枠が、周波数ダイバシチのグループを示している。図１２（ａ）では、２つのグループがあり、各々のグループから１本ずつのサブキャリアに同一の情報を持たせることによりエラー耐性を高める。通常時の設定が図１２（ａ）に示すとおり、一つの情報を２つのサブキャリアを用いて通信する周波数ダイバーシチの設定を用いているのに比して、冗長通知設定の場合、図１２（ｂ）に示すとおり、１つの情報を４つのサブキャリアを用いて通信する周波数ダイバーシチを用いる。これによりエラー耐性が高まる。
【００６５】
尚、この場合、同じ情報を通知するのに、多くのＯＦＤＭシンボル数が必要となる。図１４にその例を示す。
Ｃチャンネルに関して、通常設定の場合、図１４（ａ）に示す通りシンボル数がＳＹＭ１であるのに比して、冗長設定の場合、図１４（ｂ）に示す通りシンボル数がＳＹＭ１に比して２倍程度のＳＹＭ２だけ必要となる。Ｂ１、Ｂ２、Ｂ３チャネルも同様である。
一方、図１１に示すように、冗長設定時に用いる通知を、通常設定時の通知に比してデータ量の少ないものにすることも可能である。
図１１は、接続要求通知の通知内容であり、７２ビットのデータを８ビットに減らしている。通知するデータ量を減らした場合は、冗長度を上げた場合にも必ずしもシンボル数を増やす必要がないため、シンボル数の制約で適用できないということがなくなり、より適用の範囲が広くなる。尚、この通知データ量の削減は、冗長通知設定時の接続処理が一時的な接続処理であることを利用し、通知されなくなったデータを、あらかじめ決められた所定の値で、一時的に代用することにより実現する。
【００６６】
なお、各図中、同一符合は同一または相当部分を示す。
【００６７】
本発明の実施の形態１及び２は上述のようになされており、以下の特徴を有している。
特徴１：親機に子機を収容し、複数の搬送波を用いて上記親機子機間で通信を行うＯＦＤＭ通信システムにおいて、上記親機子機間の接続処理の失敗を検出する接続処理失敗検出手段、上記親機の機能を上記子機の機能に変更する親機子機変更手段、及び上記子機の機能を上記親機の機能に変更する子機親機変更手段を、装置制御部内に備え、上記接続処理失敗検出手段により上記親機子機間の接続処理の失敗が検出されると上記親機子機変更手段が上記親機の機能を上記子機の機能に変更し上記子機の機能を上記親機の機能に変更して当該機能変更された親機子機間で再接続処理が実行されることを特徴とするＯＦＤＭ通信システムである。
特徴２：親機に子機を収容し、複数の搬送波を用いて上記親機子機間で通信を行うＯＦＤＭ通信システムにおいて、上記親機子機間の接続処理の失敗が上記親機から上記子機への通知及び上記子機から上記親機への通知の何れで発生したのかを検出する接続処理失敗検出手段を装置制御部内に備え、上記接続処理失敗検出手段により上記親機子機間の接続処理の失敗が上記親機から上記子機への通知及び上記子機から上記親機への通知の何れで発生したのか検出されると、上記接続処理失敗検出手段により検出された上記親機子機間の接続処理の失敗が発生した上記通知を省いた片方向の通知により親機子機間で再接続処理が実行されることを特徴とするＯＦＤＭ通信システムである。
特徴３：親機に子機を収容し、複数の搬送波を用いて上記親機子機間で通信を行うＯＦＤＭ通信システムにおいて、上記親機子機間の接続処理の失敗を検出する接続処理失敗検出手段、及び冗長度を上げた通信方式で再接続する再接続手段を、装置制御部内に備え、上記接続処理失敗検出手段により上記親機子機間の接続処理の失敗が検出されると上記再接続手段により冗長度を上げた通信方式で再接続処理が実行されることを特徴とするＯＦＤＭ通信システムである。
特徴４：特徴３に記載のＯＦＤＭ通信システムにおいて、上記親機子機間の通知の情報量を再接続前に比べ減らして前記再接続処理が実行されることを特徴とするＯＦＤＭ通信システムである。
特徴５：特徴１〜４の何れか一に記載のＯＦＤＭ通信システムにおいて、上記親機子機間の接続処理の失敗が、上記子機から上記親機への通知の制御情報の搬送波の電力レベルに基づいて検出されることを特徴とするＯＦＤＭ通信システムである。
特徴６：特徴１〜５の何れか一に記載のＯＦＤＭ通信システムにおいて、上記搬送波を変更して上記再接続処理が実行されることを特徴とするＯＦＤＭ通信システムでる。
特徴７：特徴１〜請求項５の何れか一に記載のＯＦＤＭ通信システムにおいて、上記親機子機間の接続処理の失敗の原因となる搬送波を除いた搬送波を使用して上記再接続処理が実行されることを特徴とするＯＦＤＭ通信システムである。
特徴８：親機に子機を収容し、複数の搬送波を用いて通信を行う装置において、接続処理の失敗を検出する手段と、上記失敗検出手段で失敗が検出された時に親機と子機を入替えて再接続処理をする手段と、上記再接続処理時に次の接続処理の設定を算出する手段とを、装置制御部内に有する通信装置である。
特徴９：上記接続処理失敗の状態の判定に、子機からの通知の電力レベルを用いることを特徴とした特徴８に記載の通信装置である。
特徴１０：親機に子機を収容し、複数の搬送波を用いて通信を行う装置において、接続処理の失敗を検出する手段と、上記失敗検出手段で失敗が検出された時に片方向の通知を省いた手順で再接続処理をする手段と、上記再接続処理時に次の接続処理の設定を算出する手段を、装置制御部内に有する通信装置である。
特徴１１：親機に子機を収容し、複数の搬送波を用いて通信を行う装置において、接続処理の失敗を検出する手段と、上記失敗検出手段で失敗が検出された時に冗長度を上げた通信方式で再接続処理をする手段と、上記再接続処理時に次の接続処理の設定を算出する手段を、装置制御部内に有する通信装置である。
特徴１２：上記再接続処理時に、単一の通知の情報量を減らしたことを特徴とする特徴１１に記載の通信装置である。
特徴１３：上記、次の接続処理の設定算出において、使用する搬送波の変更をすることを特徴とする特徴８から１２に記載の通信装置である。
特徴１４：通信環境が劣悪で、親機子機間の通常の接続処理が失敗する場合でも、その失敗を検出し、制御情報通信の設定変更内容を算出するための接続処理を一旦実施し、その設定変更を実行することにより、正常に親機子機間の接続処理が行えるようになる通信装置である。
特徴１５：通信環境が劣悪で、親機に対する子機の同期処理が失敗する環境においても、その失敗を検出し、そののち、親機子機を入替えることにより、同期処理に成功し、その状態で行う接続処理により、制御情報通信の設定変更内容を算出し、その設定変更を実行することにより、正常に接続処理が行える通信装置である。
【符号の説明】
【００６８】
１    受信アンプ、
２    送信アンプ、  ３    復調/復号処理部、
４    変調/符号化処理部、
５    ＳＩＮＲ推定処理部、
６    マッピング調整処理部、
７    装置制御部、
８    送受データ制御部、
９    ユーザデータ入出力部、
１０    同期処理部、
１１    シーケンス制御部、
１２    タイムアウト監視制御。
【図１】
0005276628.tif 000002
【図２】
0005276628.tif 000003
【図３】
0005276628.tif 000004
【図４】
0005276628.tif 000005
【図５】
0005276628.tif 000006
【図６】
0005276628.tif 000007
【図７】
0005276628.tif 000008
【図８】
0005276628.tif 000009
【図９】
0005276628.tif 000010
【図１０】
0005276628.tif 000011
【図１１】
0005276628.tif 000012
【図１２】
0005276628.tif 000013
【図１３】
0005276628.tif 000014
【図１４】
0005276628.tif 000015